(57)【特許請求の範囲】
【請求項１】
乗客コンベア（Ｆ）の踏段（Ｅ）と同一外形状の本体（１）に、上記乗客コンベア（Ｆ）の内部（ｆ）に設置されている油受板（Ａ）を清掃する清掃ブラシ（２）を、上記本体（１）のステップ面（１ｅ）に形成した切欠部（１ａ）から突出・収納可能に取着し、
該清掃ブラシ（２）は、上記本体（１）に付設されたガイド部材（４）に案内されて往復移動すると共に錘（６）を有するスライド部材（５）に取着され、かつ、上記本体（１）のステップ面（１ｅ）との間の突出角度（θ）を60°〜95°とし、
上記本体（１）のステップ面（１ｅ）が上向きとなる往路では、上記清掃ブラシ（２）が上記錘（６）の重さによって上記ステップ面（１ｅ）よりも下方に収納され、上記本体（１）のステップ面（１ｅ）が下向きとなり上記油受板（Ａ）と対面状に配設される復路では、上記錘（６）の重さによって、上記スライド部材（５）が上記ガイド部材（４）に沿って上記ステップ面（１ｅ）側に案内され該ステップ面（１ｅ）の切欠部（１ａ）から上記清掃ブラシ（２）が自動で突出するように構成したことを特徴とする乗客コンベアの清掃装置。
【請求項２】
上記清掃ブラシ（２）は、平面視Ｖ字状に形成されている請求項１記載の乗客コンベアの清掃装置。
【請求項３】
上記本体（１）に、上記踏段（Ｅ）に取着された踏段ローラ（ｂ）を案内するガイドレール（Ｂ）を清掃可能なレールブラシ（３）を設けた請求項１又は２記載の乗客コンベアの清掃装置。
【請求項４】
乗客コンベア（Ｆ）の踏段（Ｅ）と同一外形状の本体（１）を有する踏段型の清掃装置（10）に、乗客コンベア（Ｆ）の内部（ｆ）に設置されている油受板（Ａ）を清掃する清掃ブラシ（２）を、錘（６）の重さによって上記本体（１）のステップ面（１ｅ）に形成した切欠部（１ａ）から突出・収納可能に取着し、そして、上記清掃装置（10）を、上記乗客コンベア（Ｆ）の踏段（Ｅ）の１個又は２個と交換し、上記乗客コンベア（Ｆ）を登り運転させて、上記清掃装置（10）のステップ面（１ｅ）が上向きとなる往路では、上記清掃ブラシ（２）を上記錘（６）の重さによって上記ステップ面（１ｅ）よりも下方に収納し、上記清掃装置（10）のステップ面（１ｅ）が下向きとなり上記油受板（Ａ）と対面状に配設される復路では、上記錘（６）の重さによって上記ステップ面（１ｅ）の切欠部（１ａ）から上記清掃ブラシ（２）を自動で突出させ、上記油受板（Ａ）を清掃することを特徴とする乗客コンベアの清掃方法。
【発明の詳細な説明】
【技術分野】
【０００１】
本発明は、乗客コンベアの清掃装置及び清掃方法に関する。
【背景技術】
【０００２】
従来、エスカレータ等の乗客コンベアでは、乗客の靴底等に付着した埃やゴミ等の異物が、乗客コンベアの内部（トラス内部）に堆積するため定期的な清掃作業が必要であった。
【０００３】
そこで、特許文献１記載のような、乗客コンベアの内部（トラス内部）にゴミや埃等の異物を堆積させないようにする踏段のステップ面を清掃する踏段面清掃装置があった。
【０００４】
しかし、清掃装置が常設されていない乗客コンベアが多く、清掃作業は、階段の一段を形成する踏段を、全て離脱させて内部にある油受板（オイルパンや異物受板等）や、踏段に取着された踏段ローラを案内するガイドレールを人の手で清掃していた。
【特許文献１】特許第２５９３２０１号
【発明の開示】
【発明が解決しようとする課題】
【０００５】
乗客コンベア内部を清掃する際は、踏段を多数（又は全部）離脱させる必要があるため、取り外した踏段を仮置きする場所の確保、養生マットの配置、埃等の飛散防止対策等の段取り作業に多大な時間と労力を費やす点。また、狭い内部に人が入り込んで作業する必要があり、不衛生で危険な作業であった点である。
【０００６】
そこで、本発明は、容易かつ迅速で安全に乗客コンベアの内部を清掃できる乗客コンベアの清掃装置及び清掃方法の提供を目的とする。
【課題を解決するための手段】
【０００７】
上記目的を達成させるために本発明に係る乗客コンベアの清掃装置は、乗客コンベアの踏段と同一外形状の本体に、上記乗客コンベアの内部に設置されている油受板を清掃する清掃ブラシを、上記本体のステップ面に形成した切欠部から突出・収納可能に取着し、該清掃ブラシは、上記本体に付設されたガイド部材に案内されて往復移動すると共に錘を有するスライド部材に取着され、かつ、上記本体のステップ面との間の突出角度を60°〜95°とし、上記本体のステップ面が上向きとなる往路では、上記清掃ブラシが上記錘の重さによって上記ステップ面よりも下方に収納され、上記本体のステップ面が下向きとなり上記油受板と対面状に配設される復路では、上記錘の重さによって、上記スライド部材が上記ガイド部材に沿って上記ステップ面側に案内され該ステップ面の切欠部から上記清掃ブラシが自動で突出するように構成したものである。
【０００８】
また、上記清掃ブラシは、平面視Ｖ字状に形成されているものである。
【０００９】
また、上記本体に、上記踏段に取着された踏段ローラを案内するガイドレールを清掃可能なレールブラシを設けたものである。
【００１０】
また、乗客コンベアの踏段と同一外形状の本体を有する踏段型の清掃装置に、乗客コンベアの内部に設置されている油受板を清掃する清掃ブラシを、錘の重さによって上記本体のステップ面に形成した切欠部から突出・収納可能に取着し、そして、上記清掃装置を、上記乗客コンベアの踏段の１個又は２個と交換し、上記乗客コンベアを登り運転させて、上記清掃装置のステップ面が上向きとなる往路では、上記清掃ブラシを上記錘の重さによって上記ステップ面よりも下方に収納し、上記清掃装置のステップ面が下向きとなり上記油受板と対面状に配設される復路では、上記錘の重さによって上記ステップ面の切欠部から上記清掃ブラシを自動で突出させ、上記油受板を清掃する方法である。
【発明の効果】
【００１１】
本発明の乗客コンベアの清掃装置及び清掃方法によれば、乗客コンベアから踏段を全て取外すことなく内部を清掃することができる。また、清掃の際に周囲へゴミや埃等を飛散させずに清掃することができる。
【発明を実施するための最良の形態】
【００１２】
以下、実施の形態を示す図面に基づき本発明を詳説する。
図１〜図３は、本発明の実施の一形態の乗客コンベアの使用状態を説明する説明図である。
【００１３】
まず、図１に示すＦは、既設の乗客コンベアであって、階段の一段を形成する踏段Ｅを複数個備えている。既設の踏段Ｅは、乗客が乗る乗口と降りる降口との間を円環状に循環移動するものである。踏段Ｅは、乗口から降口へ移動走行する往路で、踏段ステップ面ｅに乗客を乗せて運ぶものである。また、乗口から降口へ戻ってくる復路で、天地が反転したかのように踏段ステップ面ｅを下方（地面の方向）に向けて、乗客コンベアＦの内部（トラス内部）ｆを通過して、乗口に戻ってくるものである。
【００１４】
踏段Ｅは、（図１に一点鎖線で示す）円環状のローラｄ付のチェーンＤに取着され、チェーンＤの進行方向に牽引されるように移動するものである。また、進行方向を前後とすると、左右に踏段ローラｂを備えている。踏段ローラｂは、乗客コンベアＦの内部ｆに付設されたガイドレールＢに案内されるものである。つまり、踏段Ｅは、ガイドレールＢに案内され、チェーンＤの駆動方向に循環移動するものである。
【００１５】
また、内部ｆには、乗客からのゴミやチェーンＤの潤滑油等を受ける油受板Ａが、復路の踏段Ｅの踏段ステップ面ｅに対面状に配設されている。
【００１６】
ここで、図１〜図３に示す10は、本発明の乗客コンベアの清掃装置であって、既設の踏段Ｅと同一外形状の本体１を有している踏段型である。また、本体１は、既設の踏段Ｅと同様に、チェーンＤと連結可能な連結部と、ガイドレールＢに案内される踏段ローラｂと、を有している。つまり、既設の踏段Ｅと交換して（入れ換えて）乗口と降口の間を循環移動可能なものである。
【００１７】
また、本体１は、乗客コンベアＦが乗客を下階側から上階側に運搬する登り運転の際（図１の矢印Ｃ方向にチェーンＤが回転する際）に、内部ｆを移動して戻ってくる復路で、ステップ面１ｅから突出して油受板Ａを清掃する清掃ブラシ２を設けている。
【００１８】
清掃ブラシ２は、本体１に付設されたガイド部材４に案内されて往復移動するスライド部材５に取着されている。スライド部材５には、適度な重さの錘６が取着されている。清掃ブラシ２は、本体１が（図２に示すような）登り運転の際の往路の姿勢では、ステップ面１ｅよりも下方に収納されるよう設けられている。そして、本体１が（図３に示すような）登り運転の際の復路の姿勢では、清掃ブラシ２が錘６によって、油受板Ａ方向へスライド部材５が移動してステップ面１ｅに形成した切欠部１ａから清掃ブラシ２が突出するように設けている。つまり、上記本体１から突出・収納可能に本体１に取着されている。
【００１９】
また、清掃ブラシ２は、突出状態でステップ面１ｅとの間の突出角度θを60°〜95°となるように、設けている。乗客コンベアＦの昇降の傾斜角度が30°の際は、突出角度は80°が好ましい。
【００２０】
ここで、図４に清掃ブラシ２の要部平面断面図を示す。清掃ブラシ２は油受板Ａを清掃する際に、油受板Ａの左右両側のゴミ等（埃や異物等）が進行方向（矢印Ｃの方向）の幅方向中央部に集まるように、進行方向側が凹部となるような平面視Ｖ字状に形成されている。また、清掃ブラシ２の左右幅寸法を油受板Ａの左右幅寸法Ｗａよりも僅かに大きく設定し、突出の際に左右方向へ広がるよう突出して油受板Ａの内側壁に当接可能に設けている。
【００２１】
さらに、本体１の左右２つの踏段ローラｂの近傍に、踏段ローラｂを案内するガイドレールＢを清掃可能なレールブラシ３を設けている。レールブラシ３は、踏段ローラｂの進行方向前方側を清掃するように揺動可能に本体１に枢着されている。また、レールブラシ３は、ステップ面１ｅが図２に示すような上向き（天空向き）の際に、往路用のガイドレールＢを清掃する下端毛３ａと、ステップ面１ｅが図３に示すような下向き（地面向き）の際に、復路用のガイドレールＢを清掃する上端毛３ｂと、を有している。
【００２２】
また、清掃ブラシ２と、レールブラシ３の植毛は、洗い油を染み込ませた撚線状ワイヤーブラシから成る。
【００２３】
また、ステップ面１ｅの、一部又は全体を透明な部材で（例えばアクリル材等）形成している。つまり、往路を移動の際に、ステップ面１ｅ側から内部ｆを確認可能な覗き窓（図示省略）を本体１に形成している。
【００２４】
上述した本発明の装置の作用と乗客コンベアの清掃方法について説明する。
まず、既設の乗客コンベアＦから、２つの既設の踏段Ｅを取り外す。次に、２つの上述した踏段型の乗客コンベアの清掃装置10を、取り外した既設の踏段Ｅの替わりに、入れ換えるように取り付ける。つまり、図１に示すような、乗客コンベアＦに、２つの踏段型の乗客コンベアの清掃装置10が組み込まれた状態にする。（図１では、説明を容易にするため、複数の既設の踏段Ｅの一部を示している。）また、作業効率を考慮すると、隣接する既設の踏段Ｅを２つ交換するのが望ましい。
【００２５】
また、ゴミ等を集塵可能な清掃用吸塵機40の吸塵ホース41を、油受板Ａに配設しておく。
【００２６】
そして、乗客コンベアＦを登り運転（乗客を下階側から上階側へ運搬する方向の運転）させる。すると、往路（踏段Ｅが下階側から上階側へ向かう路）を移動する際では、図２に示すように本体１のステップ面１ｅが上向きの姿勢となって、清掃ブラシ２は錘６の重さによってステップ面ｅよりも下方に移動し、本体１に収納された状態になる。そして、チェーンＤに牽引される本体１が上階近傍で天地がひっくり返るようにＵターンする際では、錘６の重さによって、スライド部材５がガイド部材４に沿ってステップ面１ｅ側へ案内され、ステップ面１ｅの切欠部１ａから清掃ブラシ２がスムーズに自動で突出する。つまり、復路を移動する際では、図３に示すように、清掃ブラシ２が、油受板Ａを清掃可能に、本体１から突出した状態となる。
【００２７】
清掃ブラシ２は、ステップ面１ｅとの間の突出角度θを60°〜95°として突出し、確実に油受板Ａに当接する。また、清掃ブラシ２は、平面視Ｖ字状に形成しているので、油受板Ａの隅部のゴミ等（埃や異物等）を清掃進行方向の幅方向中央部に掃き集めるように清掃する。
【００２８】
また、下階側近傍で、本体１が天地がひっくり返るようにＵターンする際に、錘６の重さによって、スライド部材５がガイド部材４に沿ってステップ面１ｅから離間する方向へ案内される。この際、ステップ面１ｅとの間の突出角度θを60°〜95°としているので、清掃ブラシ２は、スムーズに移動して本体１に収納される。そして、往路を収納状態（ステップ面１ｅから突出していない状態）で移動する。
【００２９】
また、図２に示すように、往路を移動する際では、レールブラシ３の下端毛３ａが、往路用のガイドレールＢに当接して清掃しながら移動する。そして、本体１が上階側近傍で天地がひっくり返るようにＵターンする際に、レールブラシ３は、復路用のガイドレールＢに沿うように揺動する。その後、図３に示すように、復路を移動する際では、上端毛３ｂが復路用のガイドレールＢに当接して清掃しながら移動する。  
【００３０】
つまり、踏段型の乗客コンベアの清掃装置10を既設の踏段Ｅと交換後に、乗客コンベアＦを登り運転させる。すると、内部ｆの油受板Ａと、ガイドレールＢと、が自動で清掃される。また、油受板Ａの下階側に集積されたゴミ等は、吸塵機40によって自動で集塵される。
【００３１】
そして、踏段型の乗客コンベアの清掃装置10を１〜２周循環移動させた後、本体１に形成した覗き窓でステップ面１ｅ側から内部ｆを確認する。確認後、踏段型の乗客コンベアの清掃装置10を、取り外した既設の踏段Ｅに、交換して（戻して）清掃作業が終了する。
【００３２】
次に、本発明と関連の深い参考例について説明する。
図５に、参考例の使用状態を説明する図を示す。
図５に示す50は、本発明の参考例の乗客コンベアの清掃装置であって、既設の乗客コンベアＦの内部ｆに設置する設置型である。
【００３３】
図５に示すＦは、上述の実施の形態と同様の既設の乗客コンベアであって、チェーンローラｄ付のチェーンＤに牽引されて円環状に循環移動する踏段Ｅを複数個備えている。（図５では、説明のため、複数の踏段Ｅの内の一部を示す。）また、乗客コンベアＦの内部ｆ（トラス内部）に、踏段Ｅの左右に取着された踏段ローラｂをガイドする左右一対のガイドレールＢを有している。
【００３４】
20は、電動モータに取着された回転ブラシであって、回転ブラシ20の回転軸20ｃのラジアル方向に長さ寸法の異なる２種類の清掃用植毛ブラシを有している。一方は、長い長植毛20ｂである。また、他方は、使用状態で踏段ローラｂを清掃し、一方よりも短い短植毛20ａである。つまり、回転ブラシ20は、回転軸心方向からみて、回転軌跡の軌跡円の外径が各々異なる短植毛20ａと長植毛20ｂとを有する異径植毛ブラシ構造である。
【００３５】
図６に回転ブラシ20の平面図を示す。回転ブラシ20の軸心方向の幅寸法Ｗｃは、既設の乗客コンベアＦの内部ｆに設けられた左右一対のガイドレールＢ，Ｂ（図６の二点鎖線参照）の左右幅寸法Ｗｂと同等の寸法に設定されている。
【００３６】
また、踏段ローラｂやガイドレールＢに付着したゴミ等を集積可能なケーシング21を有している。ケーシング21は、回転ブラシ20が付設されている。また、ケーシング21は、集積したゴミ等を回収可能な集塵機42に可撓性の集塵ホース43を介して連通している。
【００３７】
上述した参考例の装置の作用と乗客コンベアの清掃方法について説明する。    
ケーシング21に取着されている回転ブラシ20の短植毛20ａが、移動する踏段Ｅの踏段ローラｂを清掃可能な所定の位置に配設する。また、乗客コンベアＦを運転させた際に、踏段ローラｂが回転ブラシ20方向へ向かうような位置に配設する。
また、集塵機42を内部ｆに配設し、集塵機42とケーシング21を集塵ホース43を介して連通連結する。
【００３８】
例えば、図５に示すように、回転ブラシ20を、乗客コンベアＦの内部ｆの下階側に、上階から戻ってくる（復路の）踏段Ｅの踏段ローラｂを清掃するように配設する。
【００３９】
乗客コンベアＦを登り運転（踏段Ｅが矢印Ｃ方向へ移動する運転）させる。すると、踏段Ｅの踏段ローラｂが次々と回転ブラシ20の長植毛20ｂの回転軌跡内へ突入するかのように向かって行く。長植毛20ｂは、ガイドレールＢと、突入してくる踏段ローラｂを清掃する。また、短植毛20ａは、踏段ローラｂを順次清掃する。また、回転ブラシ20は、ゴミ等をケーシング21にかき集める。ケーシング21内のゴミ等は、集塵ホース43を介して集塵機42に集積される。
【００４０】
なお、本発明は、設計変更可能であって、例えば、清掃ブラシ２と、レールブラシ３とは、本体１に着脱自在に取着し、荒清掃用や仕上げ清掃用等用途に応じたものを多種類用意して交換自在可能としても良い。また、本体１の天地がひっくり返るようにＵターンする際に、ガイドレールＢにレールブラシ３がより確実に当接して清掃するように、揺動を規制する規制部材を設けても良い。
【００４１】
また、本発明の踏段型の乗客コンベアの清掃装置10と、参考例の設置型の乗客コンベアの清掃装置50と、を併用する乗客コンベアの清掃方法も可能である。この際、レールブラシ３によって集積されるゴミ等は、回転ブラシ20によってケーシング21内に回収される。また、吸塵機40の替わりに集塵機42を使用して、集塵機42で、油受板Ａのゴミ等を集塵しても良い。
【００４２】
以上のように本発明は、乗客コンベアＦの踏段Ｅと同一外形状の本体１に、乗客コンベアＦの内部ｆに設置されている油受板Ａを清掃する清掃ブラシ２を、設けたので、既設の踏段Ｅに交換して容易かつ迅速に油受板Ａを清掃できる。人が内部ｆに入って清掃する必要がなく、安全に清掃できる。
【００４３】
また、清掃ブラシ２は、本体１から突出・収納可能に本体１に取着され、かつ、上記本体１のステップ面１ｅとの間の突出角度θを60°〜95°としたので、清掃ブラシ２が確実に油受板Ａに適度な角度で当接して清掃できる。また、Ｕターンの際に、突出・収納がこじれることなくスームズにできる。
【００４４】
また、清掃ブラシ２は、平面視Ｖ字状に形成されているので、油受板Ａのゴミ等が清掃ブラシ２の進行方向後方や、左右方向へ逃げるのを低減し、確実に、清掃する方向へ掃いて（拭いて）ゴミ等を集積することができる。
【００４５】
また、本体１に、踏段Ｅに取着された踏段ローラｂを案内するガイドレールＢを清掃可能なレールブラシ３を設けたので、油受板Ａの清掃と共にガイドレールＢの清掃ができる。
【００４６】
また、乗客コンベアＦの踏段Ｅと同一外形状の本体１に乗客コンベアＦの内部ｆに設置されている油受板Ａを清掃する清掃ブラシ２を設けた踏段型の乗客コンベアの清掃装置10と、踏段Ｅと、を１個又は２個交換し、乗客コンベアＦを登り運転させて、油受板Ａを清掃するので、既設の踏段Ｅを全て取り外さずに内部ｆを清掃できる。また、踏段Ｅが全て取りついているのと同様の状態で、油受板Ａを清掃するので、埃やゴミ等が内部ｆから巻上がるように飛散することがなく、周囲（フロアーや店舗内）を汚さず清掃できる。また、ゴミ等が周囲に飛散しないので、衛生的に作業ができる。また、取り外す踏段Ｅは、１個又は２個で良いので、取り外した踏段Ｅを仮置きする場所の確保や養生マット等を配置する段取り作業が軽減する。また、既設の乗客コンベアＦを運転させることで容易に自動清掃できる。つまり、清掃中に他の作業ができ作業効率が向上する。
【００４７】
乗客コンベアＦの踏段Ｅに取着された踏段ローラｂを案内するガイドレールＢと、踏段ローラｂと、を清掃可能な回転ブラシ20を有し、回転ブラシ20が集積したゴミを集塵可能な集塵機42を備え、回転ブラシ20は、短植毛20ａと長植毛20ｂとを有する異径植毛ブラシ構造であるので、踏段ローラｂとガイドレールＢとを清掃できる。また、踏段ローラｂを、短植毛20ａと長植毛20ｂとで確実に清掃できる。
【００４８】
乗客コンベアＦの踏段Ｅに取着された踏段ローラｂを案内するガイドレールＢの近傍に回転ブラシ20を設置して、踏段ローラｂと、ガイドレールＢを清掃するので、回転ブラシ20に踏段ローラｂが自ら向かってくるようにして順次踏段ローラｂを自動清掃できる。
【図面の簡単な説明】
【００４９】
【図１】本発明の実施の一形態の使用状態説明図である。
【図２】本発明の実施の一形態の往路での状態を示す要部断面側面図である。
【図３】本発明の実施の一形態の復路での状態を示す要部断面側面図である。
【図４】本発明の実施の一形態の乗客コンベアの清掃装置の清掃ブラシの使用状態を説明する平面断面説明図である。
【図５】参考例の使用状態説明図である。
【図６】参考例の乗客コンベアの清掃装置の回転ブラシの使用状態を説明する平面説明図である。
【符号の説明】
【００５０】
１  本体
１ｅ  ステップ面  
１ａ  切欠部
２  清掃ブラシ
３  レールブラシ
４  ガイド部材
５  スライド部材
６  錘
10  踏段型の乗客コンベアの清掃装置
20  回転ブラシ
20ａ  短植毛
20ｂ  長植毛
42  集塵機
Ａ  油受板
Ｂ  ガイドレール
ｂ  踏段ローラ
Ｅ  踏段
Ｆ  乗客コンベア
ｆ  内部
θ  突出角度
【図１】
0004921294.tif 000002
【図２】
0004921294.tif 000003
【図３】
0004921294.tif 000004
【図４】
0004921294.tif 000005
【図５】
0004921294.tif 000006
【図６】
0004921294.tif 000007